【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
共役内部領域および末端封止基を含む電気活性高分子アリーレンであって、
前記共役内部領域が３個以上のアリーレン単位を含み、前記アリーレン単位の各々が２個の隣接アリーレン単位または１個の隣接アリーレン単位と１個の末端封止基に共有結合されており、前記内部領域のアリーレン単位の１個以上が式Ｉ
【化１】
2006514148.tif 000001
（式中、Ａｒ1は、置換されていないか、またはアルキル、アルケニル、アルコキシ、フルオロ、アリール、フルオロアルキル、ヘテロアルキル、ヘテロアリール、および１個以上のＳ、Ｎ、Ｏ、ＰまたはＳｉ原子を含むヒドロカルビルから選択される１個以上の基で置換されているフェニレン基アリーレンまたはナフチレン基アリーレンであり、
ａは１または２であり、
各Ｅyは、式ＩＩおよびＩＩＩ
【化２】
2006514148.tif 000002
（式中、Ｘは、Ｏ、ＳまたはＮＲ1であり、ここで、Ｒ1は、アルキル、アリール、ヘテロアリールまたはヘテロアルキルであり、
各Ｒ2は独立してアルキル、アルコキシ、フルオロ、アリール、フルオロアルキル、ヘテロアルキルまたはヘテロアリールであり、
ｂは０、１または２であり、
Ａｒ2は、置換されていないか、またはアルキル、アルケニル、アルコキシ、フルオロ、アリール、フルオロアルキル、ヘテロアルキル、ヘテロアリール、アルキルオキサジアゾリル、アリールオキサジアゾリル、アルキルトリアゾリル、アリールトリアゾリル、および１個以上のＳ、Ｎ、Ｏ、ＰまたはＳｉ原子を含むヒドロカルビルから選択される１個以上の基で置換されている炭素環式アリール基である）
の構造を有する基から独立して選択される）
の構造を有し、
前記末端封止基が電気化学的に安定である炭素環式アリール、ヘテロアリールおよび第三芳香族アミノアリール基からそれぞれ独立して選択され、
各末端封止基が前記共役内部領域に共役され、
各末端封止基が、置換されていないか、またはアルキル、アルケニル、アルコキシ、アリール、フルオロアルキル、ヘテロアルキル、ヘテロアリール、および１個以上のＳ、Ｎ、Ｏ、ＰまたはＳｉ原子を含むヒドロカルビルから選択される１個以上の基で置換されている、電気活性高分子アリーレン。
【請求項２】
前記電気活性高分子アリーレンは式Ｖ
【化３】
2006514148.tif 000003
（式中、各ＥＣは、電気化学的に安定である炭素環式アリール、ヘテロアリールおよび第三芳香族アミノアリール基から独立して選択される末端封止基であり、ｎは３〜１００，０００の範囲内の整数である）
のポリマーである、請求項１に記載の電気活性高分子アリーレン。
【請求項３】
式Ｉの構造は式ＸＩ〜ＸＬＩＩＩ
【化４】
2006514148.tif 000004
（式中、式ＸＩ〜ＸＬＩＩＩの基の各々は置換されていないか、または１個以上の基（Ｒy）で１個以上の芳香族環の上で置換されており、
Ｒyは独立して、各場合に、フルオロ、Ｃ1〜20フルオロアルキル、Ｃ1〜20パーフルオロアルキル、Ｃ1〜20アルキル、Ｃ1〜20アルケニル、Ｃ6〜20アリール、Ｃ3〜20ヘテロアリールまたは１個以上のＳ、Ｎ、Ｏ、ＰまたはＳｉ原子を含むＣ1〜30ヒドロカルビルであり、
Ｒ3は独立して、各場合に、水素、Ｃ1〜30アルキル、Ｃ1〜30アルケニル、Ｃ6〜20アリール、Ｃ3〜20ヘテロアリールまたは１個以上のＳ、Ｎ、Ｏ、ＰまたはＳｉ原子を含むＣ1〜30ヒドロカルビルである）
の二価基から選択され、
各Ａｒ2は式ＸＬＩＶ〜ＬＩＶ
【化５】
2006514148.tif 000005
（式中、式ＸＬＩＶ〜ＬＩＶの基中の芳香族環の１個以上は独立して、置換されていないか、または１個以上の基ＲZで置換されており、
ＲZは独立して、各場合に、フルオロ、Ｃ1〜20フルオロアルキル、Ｃ1〜20パーフルオロアルキル、Ｃ1〜20アルキル、Ｃ1〜20アルケニル、Ｃ6〜20アリール、Ｃ3〜20ヘテロアリール、１個以上のＳ、Ｎ、Ｏ、ＰまたはＳｉ原子を含むＣ1〜30ヒドロカルビル、Ｃ3〜30アルキルオキサジアゾリル、Ｃ3〜30アリールオキサジアゾリル、Ｃ3〜30アルキルトリアゾリル、Ｃ3〜30アリールトリアゾリルであり、
Ｘは、Ｏ、ＳまたはＮＲ1であり、
Ｒ1は、アルキル、アリール、ヘテロアリールまたはヘテロアルキルであり、
Ｒ3は独立して、各場合に、水素、Ｃ1〜30アルキル、Ｃ1〜30アルケニル、Ｃ6〜20アリール、Ｃ3〜20ヘテロアリールまたは１個以上のＳ、Ｎ、Ｏ、ＰまたはＳｉ原子を含むＣ1〜30ヒドロカルビルである）
の基から独立して選択され、
炭素環式アリール末端封止基は、フェニル、ナフチル、アセナフチル、フェナントリル、アントラセニル、フルオレニル、９−シラフルオレニル、ジヒドロフェナントレニル（ｄｉｈｙｄｒｏｐｈｅｎａｔｈｒｅｎｙｌ）、テトラヒドロピレニル、ペリレニル、スピロビスフルオレニル、フルオランセニル、ピレニル、ルブレニル、クリセニル、ビフェニルおよびベンゾ［ｇ，ｈ，ｉ］ペリレニルからそれぞれ独立して選択され、
ヘテロアリール末端封止基は、フリル、チオフェニル、ピロリル、イミダゾリル、ピラゾリル、トリアゾリル、テトラゾリル、チアゾリル、オキサゾリル、イソキサゾリル、オキサジアゾリル、チアジアゾリル、イソチアゾリル、ピリジニル、ピリダジニル、ピラジニル、ピリミジニル、キノリニル、イソキノリニル、ベンゾフリル、ベンゾチオフェニル、インドリル、カルバゾイル、ベンゾキサゾリル、ベンゾチアゾリル、ベンズイミダゾリル、シノリニル、キナゾリニル、キノキサリニル、フタラジニル、ベンゾチアジアゾリル、ベンゾトリアジニル、フェナジニル、フェナントリジニル、アクリジニル、インダゾリルおよびシロールからそれぞれ独立して選択され、
第三芳香族アミノアリール末端封止基は、ジアリールアニリン、アルキルカルバゾール、アリールカルバゾール、テトラアリールジアミン、Ｎ，Ｎ，Ｎ’，Ｎ’−テトラアリールベンジジン、Ｎ，Ｎ，Ｎ’，Ｎ’−テトラアリール−１，４−フェニレンジアミン、Ｎ，Ｎ，Ｎ’，Ｎ’−テトラアリール（ｔｅｔｒａｒｙｌ）−２，７−ジアミノフルオレン、Ｎ，Ｎ’−ビス（３−メチルフェニル）−Ｎ，Ｎ’−ビス（フェニル）ベンジジン、Ｎ，Ｎ’−ビス（３−ナフタレン−２−イル）−Ｎ，Ｎ’−ビス（フェニル）ベンジジン、１，４−ビス（カルバゾリル）ビフェニル、パーアリールトリアミン、スターバーストアミン、４，４’，４’’−トリス（Ｎ，Ｎ−ジアリールアミノ）トリフェニルアミン、１，３，５−トリス（４−ジアリールアミノフェニル）ベンゼン、４，４’，４’’−トリス（Ｎ，Ｎ−ジフェニルアミノ）トリフェニルアミン、４，４’，４’’−トリス（Ｎ−３−メチルフェニル−Ｎ−フェニルアミノ）トリフェニルアミン、１，３，５−トリス（４−ジフェニルアミノフェニル）ベンゼン、樹状（ｄｅｎｄｒｉｄｉｃ）アミンおよびスピロアミンから選択される第三芳香族アミンの一価芳香族環基からそれぞれ独立して選択され、
末端封止基は、置換されていないか、またはＣ1〜20フルオロアルキル、Ｃ1〜20パーフルオロアルキル、Ｃ1〜20アルキル、Ｃ1〜20アルケニル、Ｃ6〜20アリール、Ｃ3〜20ヘテロアリール、１個以上のＳ、Ｎ、Ｏ、ＰまたはＳｉ原子を含むＣ1〜30ヒドロカルビル、Ｃ3〜30アルキルオキサジアゾリル、Ｃ3〜30アリールオキサジアゾリル、Ｃ3〜30アルキルトリアゾリルおよびＣ3〜30アリールトリアゾリルからなる群から選択される１個以上の基で置換されている、請求項１に記載の電気活性高分子アリーレン。
【請求項４】
前記電気活性高分子アリーレンはコポリマーであり、
アリーレン単位の１個以上は炭素環式アリーレン、ヘテロアリーレンおよび第三芳香族アミノアリーレンから独立して選択されるコモノマー単位であり、
前記コモノマー単位はＡｒ1に共役され、
前記コモノマー単位は、置換されていないか、またはアルキル、アルケニル、アルコキシ、フルオロ、アリール、フルオロアルキル、ヘテロアルキル、ヘテロアリール、および１個以上のＳ、Ｎ、Ｏ、ＰまたはＳｉ原子を含むヒドロカルビルから独立して選択される１個以上の基で置換されている、請求項１に記載の電気活性高分子アリーレン。
【請求項５】
式ＩＶ
【化６】
2006514148.tif 000006
（式中、各Ｄは、塩素、臭素、沃素、硼酸および硼酸エステルから独立して選択される反応性基であり、
−Ａｒ1（Ｅy）a−は式ＣＬＸＶおよびＣＬＸＶＩ
【化７】
2006514148.tif 000007
（式中、
Ｒyは独立して、各場合に、フルオロ、Ｃ1〜20フルオロアルキル、Ｃ1〜20パーフルオロアルキル、Ｃ1〜20アルキル、Ｃ1〜20アルケニル、Ｃ6〜20アリール、Ｃ3〜20ヘテロアリール、または１個以上のＳ、Ｎ、Ｏ、ＰまたはＳｉ原子を含むＣ1〜30ヒドロカルビルであり、
ｎは０、１または２であり、ａは１または２である）
から選択され、
【化８】
2006514148.tif 000008
（式中、Ｘは−Ｏ−、−Ｓ−および−Ｎ（Ｒ1）−から選択され、
ここで、Ｒ1は、アルキル、アリール、ヘテロアリールまたはヘテロアルキルであり、
各Ｒ2は独立してアルキル、アルケニル、アルコキシ、フルオロ、アリール、フルオロアルキル、ヘテロアルキルまたはヘテロアリールであり、
ｂは０、１または２であり、
Ａｒ2は、フェニル、ビフェニル、ナフチル、アントラセニル、フルオレニル、９−シラフルオレニル、スピロビスフルオレニル、ジヒドロフェナントロリニル、ジヒドロピレニル、テトラヒドロピレニル、ピレニルおよびペリレニルから選択される炭素環式アリール基であり、
Ａｒ2は、置換されていないか、またはアルキル、アルケニル、アルコキシ、フルオロ、アリール、フルオロアルキル、ヘテロアルキル、ヘテロアリール、アルキルオキサジアゾリル、アリールオキサジアゾリル、アルキルトリアゾリル、アリールトリアゾリル、および１個以上のＳ、Ｎ、Ｏ、ＰまたはＳｉ原子を含むヒドロカルビルから選択される１個以上の基で芳香族環の１個以上の上で置換されている）である）
の構造を有するモノマー。
【請求項６】
化合物１、２および４〜１４
【化９】
2006514148.tif 000009
からなる群から選択されるモノマー。
【請求項７】
前記モノマーは式ＣＸＶＩＩ、ＣＸＶＩＩＩおよびＣＸＩＸ
【化１０】
2006514148.tif 000010
（式中、各Ｄは、塩素、臭素、沃素、硼酸および硼酸エステルから独立して選択される反応性基であり、
各Ｒ3は水素、Ｃ1〜30アルキル、Ｃ1〜30アルケニル、Ｃ6〜20炭素環式アリール、Ｃ3〜20ヘテロアリールまたは１個以上のＳ、Ｎ、Ｏ、ＰまたはＳｉ原子を含むＣ1〜30ヒドロカルビルから独立して選択され、
ＸはＯ、ＳまたはＮＲ1であり、ここで、Ｒ1は、アルキル、アリール、ヘテロアリールまたはヘテロアルキルであり、
Ｑはフェニレンまたは結合であり、
Ｒzは存在するか、または存在せず、
各Ｒzはフルオロ、Ｃ1〜20フルオロアルキル、Ｃ1〜20パーフルオロアルキル、Ｃ1〜20アルキル、Ｃ1〜20アルケニル、Ｃ6〜20アリール、Ｃ3〜20ヘテロアリール、１個以上のＳ、Ｎ、Ｏ、ＰまたはＳｉ原子を含むＣ1〜30ヒドロカルビル、Ｃ3〜30アルキルオキサジアゾリル、Ｃ3〜30アリールオキサジアゾリル、Ｃ3〜30アルキルトリアゾリルおよびＣ3〜30アリールトリアゾリルから独立して選択される）
から選択されるモノマー。
【請求項８】
請求項１に記載の電気活性高分子アリーレンを含む電気活性組成物であって、
正孔輸送材料、電子輸送材料、バインダー、高分子バインダー、分子発光体、発光ポリマー、導波粒子、燐光化合物、色変換材料、および１種以上の異なる電気活性高分子アリーレンホモポリマー、コポリマーまたはそれらの組み合わせから選択される１種以上の材料を更に含む、エレクトロルミネセンスである電気活性組成物。
【請求項９】
基材、光熱変換層、および請求項８に記載の電気活性組成物を含む輸送層を含むドナーシート。